(57)【要約】【課題】  複数の異なる形状の取り付ける対象とした物に対して取り付けが可能となる無線タグおよび無線タグの製造方法を提供する。【解決手段】  ベースシート１１１に無線通信を行う回路チップ１１３とアンテナパターン１１２を設けたインレット１１がスペーサ１０ａ上に設けられた無線タグ１ａであって、スペーサ１０ａは、その長手方向にインレット１１の同方向における長さの２倍以上の長さを有し、且つ無線タグ１ａの取付対象物への取付面を形成するようスペーサ１０ａを折り畳み可能とする折り曲げ部２２を有する。【選択図】図１
2012008682.tif 000002
【特許請求の範囲】
【請求項１】
ベース部材に無線通信を行う回路チップとアンテナパターンを設けたインレットがスペーサ上に設けられた無線タグであって、
前記スペーサは、その長手方向に前記インレットの同方向における長さの２倍以上の長さを有し、且つ前記無線タグの取付対象物への取付面を形成するよう前記スペーサを折り畳み可能とする屈曲部を有することを特徴とする無線タグ。
【請求項２】
前記スペーサは、前記インレットを前記スペーサ間に位置するよう折り畳み可能であることを特徴とする請求項１に記載の無線タグ。
【請求項３】
前記スペーサは、前記インレットが設けられる第１スペーサと、該第１スペーサに前記屈曲部を介して接続され、該接続方向に前記第１スペーサ以上の長さを有する第２スペーサとを有することを特徴とする請求項１または請求項２に記載の無線タグ。
【請求項４】
前記スペーサが折り畳まれた際に重なり合う前記スペーサの面の少なくともいずれか一方の面上には、粘着材が設けられていることを特徴とする請求項１乃至請求項３のいずれかに記載の無線タグ。
【請求項５】
前記無線タグは複数連接され、各無線タグは前記スペーサの端部に設けられた切り離しラインで切り離し可能とされていることを特徴とする請求項１乃至請求項４のいずれかに記載の無線タグ。
【請求項６】
ベース部材に無線通信を行う回路チップとアンテナパターンを設けたインレットがスペーサ上に設けられた無線タグであって、
前記スペーサは、その長手方向に前記インレットの同方向における長さの２倍以上の長さを有し、且つ前記無線タグの取付対象物へ多重に巻きつけ可能となるよう可撓性を有することを特徴とする無線タグ。
【請求項７】
上面に粘着材を有するスペーサを搬送し、
ベース部材上に無線通信を行う回路チップとアンテナパターンが設けられたインレットを、前記スペーサを搬送する搬送方向における前記インレットの長さより２倍以上長い間隔で、前記スペーサの上面に対し複数接着し、
前記インレット及び前記スペーサ上に第１剥離紙を貼着し、
前記インレット間の前記スペーサ及び前記第１剥離紙に対し、前記間隔で切り離しラインを設けることを特徴とする無線タグの製造方法。
【発明の詳細な説明】
【技術分野】
【０００１】
本件は、無線通信を行う無線タグ、および無線タグの製造方法に関する。
【背景技術】
【０００２】
従来、ＲＦＩＤ（Radio Frequency Identification）タグ等の無線タグが知られている。無線タグは、リーダライタ装置と無線通信を行うことにより、データの書き込みや読み出しが行われる。無線タグは、その内部にインレットを有しており、インレットは、無線通信用のアンテナパターンと接続された、ＩＣ（Integrated Circuit）チップを有する。ＩＣチップは、アンテナパターンを用いて信号を送受信することにより、リーダライタとの無線通信等を行う。
【０００３】
無線タグを取り付ける対象とした物が、電波の反射および吸収等が生じる金属面を有し、この金属面に無線タグが取り付けられる場合がある。また、取り付ける対象とした物が、電波の反射および吸収等が生じる液体を内部に有し、この取り付ける対象とした物に無線タグが取り付けられる場合がある。これらの場合、ＩＣチップとリーダライタ装置との無線通信を可能とする無線通信距離が短くなる可能性がある。このことから、従来は、インレットと取り付ける対象とした物との間に、インレットまたはアンテナパターンと取り付ける対象とした物との間を一定の距離以上離すためのスペーサを設けることにより、無線通信距離を伸ばしている。なお、従来の技術として、下記特許文献が一例として知られている。
【先行技術文献】
【特許文献】
【０００４】
【特許文献１】特開２００６−３３８３６１号公報
【特許文献２】特開２００８−９５３７号公報
【発明の概要】
【発明が解決しようとする課題】
【０００５】
上述の先行技術文献でも知られるように、無線タグに設けられるスペーサは、取り付ける対象とした物の形状に基づいて作製されているため、固定の寸法となっている。したがって、スペーサを有する無線タグが取り付けられている取り付ける対象とした物の形状が変更された場合、形状が変更された後の取り付ける対象とした物に対しては、当該スペーサの寸法が合わないため、無線タグを取り付けることができないという問題がある。形状変更された取り付ける対象とした物に対して無線タグを取り付けるためには、取り付ける対象とした物の形状に基づいてスペーサの再設計および再作製が行われなくてはならず、この再設計および再作製のためにコストがかかる。
【０００６】
本件開示の無線通信を行う無線タグ、および無線タグの製造方法は、上述した問題点を解決するためになされたものであり、複数の異なる形状の取り付ける対象とした物に対して取り付けが可能となる無線タグおよび無線タグの製造方法を提供することを目的とする。
【課題を解決するための手段】
【０００７】
本件開示の無線タグは、ベース部材に無線通信を行う回路チップとアンテナパターンを設けたインレットがスペーサ上に設けられた無線タグであって、前記スペーサは、その長手方向に前記インレットの同方向における長さの２倍以上の長さを有し、且つ前記無線タグの取付対象物への取付面を形成するよう前記スペーサを折り畳み可能とする屈曲部を有する。
【０００８】
本件開示の無線タグは、ベース部材に無線通信を行う回路チップとアンテナパターンを設けたインレットがスペーサ上に設けられた無線タグであって、前記スペーサは、その長手方向に前記インレットの同方向における長さの２倍以上の長さを有し、且つ前記無線タグの取付対象物へ多重に巻きつけ可能となるよう可撓性を有する。
【０００９】
本件開示の無線タグの製造方法は、上面に粘着材を有するスペーサを搬送し、ベース部材上に無線通信を行う回路チップとアンテナパターンが設けられたインレットを、前記スペーサを搬送する搬送方向における前記インレットの長さより２倍以上長い間隔で、前記スペーサの上面に対し複数接着し、前記インレット及び前記スペーサ上に第１剥離紙を貼着し、前記インレット間の前記スペーサ及び前記第１剥離紙に対し、前記間隔で切り離し用のラインを設ける。
【発明の効果】
【００１０】
本件開示の無線タグおよび無線タグの製造方法によれば、複数の異なる形状の取り付ける対象とした物に対して取り付けが可能となる。
【図面の簡単な説明】
【００１１】
【図１】実施の形態１に係る無線タグを示す斜視図である。
【図２】実施の形態１に係る無線タグ１ａを示す側面図である。
【図３】インレットを示す斜視図である。
【図４】スペーサが折り畳まれた状態の実施の形態１に係る無線タグを示す斜視図である。
【図５】段差形状の取り付ける対象とした物に対して、実施の形態１に係る無線タグを取り付けた状態を示す斜視図である。
【図６】平板形状の取り付ける対象とした物に対して、実施の形態１の無線タグと異なる無線タグを取り付けた状態を示す斜視図である。
【図７】段差形状の取り付ける対象とした物に対して、実施の形態１の無線タグと異なる無線タグを取り付けた状態を示す斜視図である。
【図８】実施の形態２に係る無線タグを示す斜視図である。
【図９】円柱形状の取り付ける対象とした物に対して、実施の形態２に係る無線タグを取り付けた状態を示す斜視図である。
【図１０】円柱形状の取り付ける対象とした物に対して、実施の形態２の無線タグと異なる無線タグを取り付けた状態を示す斜視図である。
【図１１】実施の形態３に係る無線タグを示す斜視図である。
【図１２】実施の形態３に係る無線タグ１ｄを示す側面図である。
【図１３】実施の形態４に係る無線タグを示す斜視図である。
【図１４】実施の形態４に係る無線タグ１ｈを示す側面図である。
【図１５】実施の形態５に係る無線タグを示す斜視図である。
【図１６】実施の形態５に係る無線タグ１ｆを示す側面図である。
【図１７】スペーサの折り畳み方を示す斜視図である。
【図１８】スペーサが折り畳まれた状態の実施の形態５に係る無線タグを示す斜視図である。
【図１９】実施の形態６に係る無線タグシートを示す上面図である。
【図２０】図１９に示された無線タグシートのＡ−Ａ’断面図である。
【図２１】実施の形態６に係る無線タグシートから切り離された１つの無線タグを示す断面図である。
【図２２】実施の形態６に係る無線タグシートの製造工程を説明するための模式図である。
【発明を実施するための形態】
【００１２】
以下、本発明の実施の形態について図面を参照しつつ説明する。
【００１３】
＜実施の形態１＞
先ず、実施の形態１に係る無線タグについて図１及び図２を用いて説明する。図１は、実施の形態１に係る無線タグ１ａを示す斜視図である。図２は、実施の形態１に係る無線タグ１ａを示す側面図である。図１に示されるように、この無線タグ１ａは、長方形のスペーサ１０ａの上面に斜線で示される粘着材１２ａが間隔を空けて２箇所設けられており、スペーサ１０ａの端部に設けられた粘着材１２ａ上にインレット１１が接着されている。
【００１４】
図２に示されるように、スペーサ１０ａは、インレット１１が設けられる第１スペーサ１０１ａと、第１スペーサ１０１ａのインレット１１が設けられる面と平行に後述する折り曲げ部２２を介して第１スペーサ１０１ａと接続された第２スペーサ１０１ｂとで構成されている。第１スペーサ１０１ａはインレット１１が折り曲げられぬよう支持しており、折り曲げ部２２が折り曲げられた場合、インレット１１を覆い外部から保護する保護部材となる。第２スペーサ１０１ｂは折り曲げ部２２が折り曲げられた場合、インレット１１と取り付ける対象とした物との間を一定の距離以上離すためのスペーサとなる。
【００１５】
スペーサ１０ａは、可撓性を有する屈曲可能な材料で構成された板状部材であり、誘電体が好適である。例えば、スペーサ１０ａにはゴムシートやＰＥＴ（Polyethylene Terephthalate）フィルムを用いることができる。スペーサ１０ａの厚さは，容易に湾曲および屈曲可能な厚さとすることが好適であり、例えば、０．１ｍｍとすることができる。
【００１６】
図１に示されるように、第２スペーサ１０１ｂの上面には、その長手方向に直交するよう、折り曲げ箇所を示すライン２ａ〜２ｃが、それぞれ一定の間隔で設けられている。第１スペーサ１０１ａは、ライン２ａに沿って、その上面が第２スペーサ１０１ｂの上面と重なり合うよう折り畳まれることができる。また、第２スペーサ１０１ｂは、ライン２ｃに沿って、その上面が重なり合うよう折り畳まれ、ライン２ｂに沿って、その下面が重なり合うよう折り畳まれることができる。このライン２ａ〜２ｃに沿って折り曲げられるスペーサ１０ａの部分が折り曲げ部２２となる。
【００１７】
図２に示されるように、第２スペーサ１０１ｂの下面には、網掛けで示される粘着材１２ｂが、２箇所に設けられた粘着材１２ａの間隔（折り曲げ部２２の長さ）と同様の間隔をあけて２箇所設けられている。この粘着材１２ｂは、粘着材１２ａの裏面の範囲外に設けられている。つまり、スペーサ１０ａには、粘着材１２ａと１２ｂとが、スペーサ１０ａの上面と下面とで互い違いに位置するよう設けられている。このように粘着材１２ａ及び１２ｂが設けられることにより、ライン２ａ〜２ｃに沿って折り曲げ部２２が折り曲げられ、スペーサ１０ａが折り畳まれた際、重なり合うスペーサ１０ａの面を粘着材１２ａまたは１２ｂを介して接着することが可能となる。粘着材１２ａ及び１２ｂは、取り付ける対象とした物及びスペーサ１０ａに対して接着できるものであればよく、例えばアクリル系の粘着材を用いることができる。
【００１８】
なお、この実施の形態１に係る無線タグ１ａでは、スペーサ１０ａの上面と下面とで互い違いとなるよう粘着材１２ａ及び１２ｂがスペーサ１０ａに設けられているが、粘着材１２ａ及び１２ｂが設けられる位置はこれに限定されない。粘着材１２ａ及び１２ｂは、折り畳まれた際に重なり合うスペーサ１０ａの面のいずれか一方の面上に設けられていればよい。また、実施の形態１に係る無線タグ１ａでは、スペーサ１０ａにライン２ａ〜２ｃを設けたが、ライン２ａ〜２ｃをスペーサ１０ａに設けず、無線タグ１ａの使用者が任意にスペーサ１０ａを折り曲げてもよい。
【００１９】
また、粘着材１２ａ及び１２ｂは、図１に示されるように、ライン２ａ〜２ｃのそれぞれから一定の距離を離間して設けられている。このように粘着材１２ａ及び１２ｂを離間して設けることにより、折り曲げ部２２を折り曲げる際、無線タグ１ａの側面に粘着材１２ａ及び１２ｂを露出させることなく、容易にスペーサ１０ａを折り曲げることが可能となる。
【００２０】
図１に示されるＬ１はインレット１１の長手方向の長さを示しており、Ｄ１はインレット１１の短手方向の長さを示す。また、Ｌ２はスペーサ１０ａの短手方向の長さを示しており、Ｄ２はスペーサ１０ａの長手方向の長さを示す。この長さＤ２は、長さＤ１の２倍以上が好適である。換言すると、第２スペーサ１０１ｂは、スペーサ１０ａの長手方向の長さが第１スペーサ１０１ａより２倍以上であることが好適である。これは、インレット１１が折り畳まれたスペーサ１０ａ間、即ち、第１スペーサ１０１ａと第２スペーサ１０１ｂとの間に挟まれることができるように、１回以上スペーサ１０ａを折り畳めることができるようにするためである。なお、実施の形態１に係る無線タグ１ａでは、スペーサ１０ａの長手方向と、インレット１１の短手方向とが平行となるよう第１スペーサ１０１ａの上面にインレット１１が設けられている。ここで、スペーサ１０ａの長手方向とインレット１１の長手方向とが平行になるようインレット１１を第１スペーサ１０１ａ上に設けるようにしてもよい。この場合、長さＤ２は、長さＬ１の２倍以上が好適である。すなわち、スペーサ１０ａは、その長手方向にインレット１１の同方向における長さの２倍以上の長さであることが好適である。
【００２１】
次に、インレット１１の構成を、図３を用いて説明する。図３は、インレット１１の構成を示す斜視図である。インレット１１は、ベースシート１１１と、ベースシート１１１上にパターン形成されたアンテナパターン１１２と、ベースシート１１１上に設けられ、アンテナパターン１１２と電気的に接続された回路チップ１１３とを有する。ベースシート１１１は、可撓性を有する屈曲可能な材料で構成された長方形のシートであり、誘電体が好適である。例えば、ベースシート１１１としてはゴムシートやＰＥＴフィルムを用いることができる。アンテナパターン１１２は、無線通信を行うための配線パターンである。回路チップ１１３は、記憶部を有しており、アンテナパターン１１２により受信された信号に基づいて、記憶部からのデータの読み出しまたは記憶部へのデータの書き込み等を行う。回路チップ１１３は、例えばＩＣチップで構成される。
【００２２】
スペーサ１０ａは、ライン２ａを境に、その第１スペーサ１０１ａ上面と第２スペーサ１０１ｂ上面とが重なり合うよう折り畳まれ、ライン２ｂを境に第２スペーサ１０１ｂの下面が重なり合うよう折り畳まれる。また、ライン２ｃを境に第２スペーサ１０１ｂの上面が重なり合うよう折り畳まれる。スペーサ１０ａが折り畳まれた際に重なり合うスペーサ１０ａの面のいずれか一方の面上に粘着材１２ａまたは１２ｂが設けられているため、スペーサ１０ａは、粘着材１２ａまたは１２ｂを介して、その上面と上面、または下面と下面とが接着される。このように、スペーサ１０ａが折り畳まれることにより、無線タグ１ａは、図４に示すような形状となる。
【００２３】
図４は、スペーサ１０ａが折り畳まれた状態の実施の形態１に係る無線タグ１ａを示す斜視図である。図４に示される無線タグ１ａは、その下面が取り付ける対象とした物に対し取り付けられる取付面となる。Ｈ１は、スペーサ１０ａが重ね合わされた際の重ね方向における、取付面からインレット１１までの高さを示す。
【００２４】
図４に示されるように、スペーサ１０ａが多重に折り畳まれることにより、無線タグ１ａは、高さＨ１を確保することが可能となる。したがって、スペーサ１０ａの長手方向の長さＤ２を調節し、スペーサ１０ａの折り畳む回数を増減することにより、高さＨ１を所望の値とすることが可能となる。なお、高さＨ１は、取り付ける対象とした物の構成材料を考慮し、回路チップ１１３の無線通信距離が所望の距離、即ち、インレット１１における無線通信距離を伸ばすための距離となる高さとすることが好適である。また、無線タグ１ａは、スペーサ１０ａ間にインレット１１が挟まれた状態となる。これは、スペーサ１０ａの折り曲げ部２２が、インレット１１をスペーサ１０ａ間に位置するよう、ライン２ａ〜２ｃに沿って折り畳まれるためである。このように、インレット１１がスペーサ１０ａ間に挟まれる状態とすることにより、無線タグ１ａは、外部からの衝撃等からインレット１１を保護することが可能となる。
【００２５】
ライン２ａ〜２ｃ、粘着材１２ａ、１２ｂの数やサイズ、及びこれらが設けられる位置や間隔（以後、これらを設計事項と称する）は、容易に変更することが可能である。これらの設計事項を変更することにより、無線タグを様々な形状の取り付ける対象とした物に対して取り付けることが可能となる。ここで、段差形状の取り付ける対象とした物に無線タグを取り付ける場合を、図５を用いて説明する。
【００２６】
図５は、段差形状の取り付ける対象とした物３ａに対して、実施の形態１に係る無線タグ１ｂを取り付けた状態を示す斜視図である。無線タグ１ｂは、図１に示されるライン２ａ〜２ｃ、折り曲げ部２２、粘着材１２ａ、１２ｂの数および設けられている位置が無線タグ１ａと異なる。取り付ける対象とした物３ａにおいて、図５中の斜線部で示される３１ａは、段差形状の下段を形成する面を示し、図５中の網掛け部で示される３２ａは、段差形状の上段を形成する面を示す。
【００２７】
図５に示されるように、スペーサ１０ｂは、面３１ａと面３２ａとの重ね方向における高低差を埋めるよう、面３１ａ上で折り曲げ部２２が折り曲げられることにより、スペーサ１０ｂの第２スペーサ１０１ｂが細かく折り畳まれる。面３１ａ上で細かく折り畳まれたスペーサ１０１ｂの面が面３２ａと同一平面上となった後、面３２ａ上で第２スペーサ１０１ｂと第１スペーサ１０１ａとが大きく折り畳まれる。このように、取り付ける対象とした物３ａの段差形状に対応してスペーサ１０ｂが変則的に折り畳まれることにより、無線タグ１ｂを取り付ける対象とした物３ａの段差形状に即して容易に取り付けることが可能となる。
【００２８】
ここで、実施の形態１に係る無線タグ１ａ及び１ｂの比較例として、スペーサ１０ａ及び１０ｂと異なるスペーサを有する無線タグを図６及び７を用いて説明する。図６は、平板形状の取り付ける対象とした物３ｂに対して、実施の形態１の無線タグと異なる無線タグを取り付けた状態を示す斜視図である。図７は、段差形状の取り付ける対象とした物３ａに対して、実施の形態１の無線タグと異なる無線タグを取り付けた状態を示す斜視図である。図６に示される１０ｃは、取り付ける対象とした物３ｂの形状に基づいて固有に作製されたスペーサを示し、図７に示される１０ｄは、取り付ける対象とした物３ａの形状に基づいて固有に作製されたスペーサを示す。
【００２９】
図６及び７に示されるように、スペーサ１０ｃ及び１０ｄのそれぞれは、取り付ける対象とした物３ａ及び３ｂの形状に基づいて作製されている。そのため、スペーサ１０ｃ及び１０ｄのそれぞれは、他の取り付ける対象とした物に対して取り付けることは困難である。したがって、スペーサ１０ｃ及び１０ｄのそれぞれは、取り付ける対象とした物が変更となった場合、再度、形状の再設計および再作製が行われる。しかしながら、実施の形態１の無線タグ１ａおよび１ｂは、スペーサ１０ａ及び１０ｂが取り付ける対象とした物の形状に即して折り畳まれることができるため、取り付ける対象とした物３ａ及び３ｂの形状に拘らず容易に取り付けることができる。
【００３０】
この実施の形態１によれば、無線タグ１ａ及び１ｂは、主としてスペーサの折り畳み方を変更するのみで平板形状および段差形状等の複数形状の取り付ける対象とした物に対し取り付けられることができる。また、無線タグ１ａ及び１ｂは、折り畳まれたスペーサ１０ａ及び１０ｂの重ね方向におけるトータル厚みの変更や高さＨ１の変更に、スペーサ１０ａ及び１０ｂの長さ変更のみで対応することができる。そのため、無線タグ１ａ及び１ｂは、トータル厚み及び高さＨ１の調整が容易である。
【００３１】
＜実施の形態２＞
実施の形態１では、段差形状の取り付ける対象とした物に無線タグを取り付ける場合を説明したが、実施の形態２では、円柱形状の取り付ける対象とした物に対して取り付ける場合について説明する。
【００３２】
図８は、実施の形態２に係る無線タグ１ｃを示す斜視図である。図９は、円柱形状の取り付ける対象とした物３ｃに対して、実施の形態２に係る無線タグ１ｃを取り付けた状態を示す斜視図である。図８及び９において、図１と同一符号のものは、図１に示されたものと同一のものを示しており、重複する説明は省略する。無線タグ１ｃは、図１に示されるライン２ａ〜２ｃと粘着材１２ｂとが除かれ、スペーサ１０ｅの上面全面に粘着材１２ａが設けられている点で無線タグ１ａと異なる。スペーサ１０ｅは、インレット１１が設けられる第１スペーサ１０２ａと、第１スペーサ１０２ａのインレット１１が設けられる面と平行に第１スペーサ１０２ａと接続された第２スペーサ１０２ｂとで構成されている点で無線タグ１ａと異なる。
【００３３】
第１スペーサ１０２ａは、第２スペーサ１０２ｂの下面に重なり、インレット１１を第１スペーサ１０２ａと第２スペーサ１０２ｂとの間に挟むことにより、外部から保護する保護部材となる点で無線タグ１ａと異なる。また、第２スペーサ１０２ｂは、取り付ける対象とした物３ｃに対して多重に巻きつけられることにより、インレット１１と取り付ける対象とした物３ｃとの間を一定の距離以上離すためのスペーサとなる点で無線タグ１ａと異なる。
【００３４】
図９に示されるように、スペーサ１０ｅを取り付ける対象とした物３ｃに対して多重に巻きつけることにより、無線タグ１ｃを取り付ける対象とした物３ｃの径に即して容易に取り付けることが可能となる。また、第１スペーサ１０２ａがインレット１１を内部に位置するよう取り付ける対象とした物３ｃに対して多重に巻きつけられることにより、無線タグ１ｃは、外部からの衝撃等からインレット１１を保護することが可能となる。更に、スペーサ１０ｅの長さを調節するのみで取り付ける対象とした物３ｃに巻きつける回数を調整することができ、容易にインレット１１を取り付ける対象とした物３ｃの周壁から所望の高さとすることができる。
【００３５】
ここで、実施の形態２に係る無線タグ１ｃの比較例として、スペーサ１０ｅと異なるスペーサを有する無線タグを、図１０を用いて説明する。図１０は、円柱形状の取り付ける対象とした物３ｃに対して、実施の形態２の無線タグ１ｃと異なる無線タグを取り付けた状態を示す斜視図である。図１０に示される１０ｆは、取り付ける対象とした物３ｃの形状（取り付ける対象とした物３ｃの径）に基づいて固有に作製されたスペーサである。
【００３６】
図１０に示されるように、スペーサ１０ｆは、円柱形状を有する取り付ける対象とした物３ｃの径に基づいて作製されている。そのため、例えば、取り付ける対象とした物３ｃの径が変更になった場合、スペーサ１０ｆを取り付ける対象とした物３ｃに対して取り付けることは困難である。したがって、スペーサ１０ｆは、取り付ける対象とした物３ｃが変更となった場合、再度、形状の再設計および再作製が行われる。
【００３７】
しかしながら、実施の形態２の無線タグ１ｃは、スペーサ１０ｅが取り付ける対象とした物３ｃの径に即して巻きつけられるため、取り付ける対象とした物３ｃの径が異なる場合であっても、容易に取り付ける対象とした物３ｃに対して取り付けることができる。また、無線タグ１ｃは、多重に重ねられたスペーサ１０ｅの重ね方向におけるトータル厚みの変更や重ね方向における高さの変更に、スペーサ１０ｅの長さを調節するのみで対応することができる。そのため、無線タグ１ｃは、無線タグ１ａ及び１ｂと同様、トータル厚み、およびインレット１１またはアンテナパターン１１２までの高さの調整が容易である。
【００３８】
＜実施の形態３＞
実施の形態１及び２では、スペーサの形状が長方形である無線タグについて説明したが、実施の形態３では、スペーサの形状が楕円形状である無線タグについて説明する。
【００３９】
図１１は、実施の形態３に係る無線タグ１ｄを示す斜視図である。図１２は、実施の形態３に係る無線タグ１ｄを示す側面図である。図１１及び図１２において、図１及び２と同一符号のものは、図１及び２に示されたものと同一のものを示しており、重複する説明は省略する。無線タグ１ｄは、楕円形状であるスペーサ１０ｇの上面にインレット１１が設けられている点で無線タグ１ａと異なる。また、図１１に示されるＤ３は、スペーサ１０ｇの長軸方向における長さを示す。
【００４０】
図１１及び１２に示されるように、無線タグ１ｄのスペーサ１０ｇは、折り畳まれたスペーサ１０ｇ間にインレット１１が挟まれるよう、ライン２ａ及び２ｂに沿って折り曲げ可能な形状であれば、長方形ではなく楕円形状であってもよい。ここで、長さＤ３は、スペーサ１０ａのような長方形の場合と同様、インレット１１の短手方向の長さを示す長さＤ１の２倍以上の長さが好適である。
【００４１】
＜実施の形態４＞
実施の形態３では、スペーサの形状が楕円形状である無線タグについて説明したが、実施の形態４では、スペーサの形状が十字形状である無線タグについて説明する。
【００４２】
図１３は、実施の形態４に係る無線タグ１ｅを示す斜視図である。図１４は、実施の形態４に係る無線タグ１ｅを示す側面図である。図１３及び１４において、図１及び２と同一符号のものは、図１及び２に示されたものと同一のものを示しており、重複する説明は省略する。無線タグ１ｅは、十字形状であるスペーサ１０ｈの上面にインレット１１が設けられている点で無線タグ１ａと異なる。
【００４３】
図１３及び１４に示されるように、無線タグ１ｅのスペーサ１０ｈは、折り畳まれたスペーサ１０ｈ間にインレット１１が挟まれるよう、ライン２ａ及び２ｂに沿って折り曲げ可能な形状であれば、長方形ではなく十字形状であってもよい。ここで、スペーサの長手方向の長さである長さＤ２は、スペーサ１０ａのような長方形の場合と同様、インレット１１の短手方向の長さを示す長さＤ１の２倍以上の長さが好適である。
【００４４】
なお、実施の形態４では、無線タグ１ｅは、長さＤ２が示す方向に直交するようライン２ａが設けられている。しかしながら、長さＤ２が示す方向と平行するよう設けられているライン２ｂのいずれか又はその両方がライン２ａであってもよい。この場合、長さＤ２の方向と直交する方向のスペーサの長さは、インレット１１の長手方向の長さを示す長さＬ１の２倍以上の長さが好適である。また、実施の形態３ではスペーサが楕円形状である場合、実施の形態４ではスペーサが十字形状である場合をそれぞれ説明したが、スペーサの形状はこれらに限定されず、円形や正方形等でもよい。
【００４５】
＜実施の形態５＞
実施の形態５では、スペーサ１０ａが折り畳まれた際に、図１に示される高さＨ１を確保するための長方形状の板状部材（以後、スペーサブロックと称する）をスペーサ１０ａの上面に設けた無線タグについて説明する。
【００４６】
図１５は、実施の形態５に係る無線タグ１ｆを示す斜視図である。図１６は、実施の形態５に係る無線タグ１ｆを示す側面図である。図１７はスペーサ１０ａの折り畳み方を示す斜視図である。図１８は、スペーサ１０ａが折り畳まれた状態の実施の形態５に係る無線タグ１ｆを示す斜視図である。図１５〜１８において、図１及び２と同一符号のものは、図１及び２に示されたものと同一のものを示しており、重複する説明は省略する。図１５に示される４は、上面に粘着材が設けられたスペーサブロックを示す。スペーサブロック４は、スペーサ１０ａより厚みがある誘電体が好ましい。例えば、スペーサ１０ａが０．１ｍｍ厚である場合、スペーサブロック４は０．２５ｍｍ厚のプラスチック板やゴムシートが用いられる。
【００４７】
図１５及び１６に示されるように、無線タグ１ｆは、スペーサ１０ａの上面に、４つの長方形状のスペーサブロック４が一定の間隔で設けられている点で無線タグ１ａとは異なる。なお、スペーサブロック４の数、形状、及び間隔は、これらに限定されるものではなく、取り付ける対象とした物の形状および無線タグ１ｆの形状等により適宜定められる。また、スペーサブロック４は、折り畳まれた際に重なり合うスペーサ１０ａの面の少なくともいずれか一方の面上に設けられていればよい。
【００４８】
そして、無線タグ１ｆは、図１７に示されるように、折り畳まれた際に重なり合うスペーサ１０ａの面の間にスペーサブロック４が挟まれるよう、スペーサ１０ａが折り畳まれる。スペーサ１０ａが折り畳まれることにより、無線タグ１ｆは、図１８に示されるような、折り畳まれたスペーサ１０ａ間にスペーサブロック４を有する状態となる。折り畳まれたスペーサ１０ａ間にスペーサブロック４を有することで、無線タグ１ｆは、重ね方向にスペーサブロック４の厚さを加算することができ、少ない折り畳み回数で、インレット１１またはアンテナパターン１１２までの所望の高さを確保することができる。
【００４９】
一方、実施の形態１におけるスペーサ１０ａは、所望の高さＨ１を確保するまで、取り付ける対象とした物に対して多重に折り畳まれる。例えば、高さＨ１を所望の値とするための、スペーサ１０ａが折り畳まれた際の重ね方向におけるトータル厚みが１０ｍｍである場合、スペーサ１０ａの厚みが０．１ｍｍであれば、スペーサ１０ａは１００回折り畳まれる。しかしながら、実施の形態５に係る無線タグ１ｆによれば、折り畳まれた際に重なり合うスペーサ１０ａの面の少なくともいずれか一方の面上に、スペーサブロック４を設けることで、スペーサ１０ａの折り畳み回数を低減できる。また、スペーサブロック４の厚みを調節することにより、トータル厚みや、インレット１１またはアンテナパターン１１２までの高さを容易に調節することができる。
【００５０】
＜実施の形態６＞
実施の形態１〜５では、無線タグを単一の無線タグとして説明したが、実施の形態６では、無線タグ１ｃが複数連なる状態で形成された無線タグシートについて説明する。
【００５１】
図１９は、実施の形態６に係る無線タグシート１ｇを示す上面図である。図２０は、図１９に示された無線タグシート１ｇのＡ−Ａ’断面図である。図２１は、実施の形態６に係る無線タグシート１ｇから切り離された１つの無線タグ１ｃを示す断面図である。図１９〜２１において、図８と同一符号のものは、図８に示されたものと同一のものを示しており、重複する説明は省略する。
【００５２】
図１９及び２０に示されるように、無線タグシート１ｇは、上面全面に粘着材１２ａが設けられたスペーサ１０ｅがロール状に巻かれている。粘着材１２ａ上には、複数のインレット１１が接着されており、インレット１１は、粘着材１２ａ上に間隔Ｄ４ごとに複数接着されている。インレット１１は、スペーサ１０ｅのロール状となっている部分内においても同様に設けられている。粘着材１２ａ及びインレット１１上には、剥離紙５１が貼着されている。剥離紙５１が貼着されていることにより、スペーサ１０ｅがロール状であっても粘着材１２ａとスペーサ１０ｅの下面とは接着されない。
【００５３】
また、スペーサ１０ｅには、インレット１１が設けられている間隔Ｄ４と同一の間隔で切り離しライン５２が設けられている。なお、切り離しライン５２は、剥離紙５１及び粘着材１２ａを貫通して設けられることが好適である。切り離しライン５２は、スペーサ１０ｅ間を容易に切り離せるものであればよく、例えば、スペーサ１０ｅに対して切り込み、またはミシン目を示す線である。インレット１１及び切り離しライン５２が設けられる間隔Ｄ４は、インレット１１の短手方向の長さを示す長さＤ１の２倍以上の長さを有することが好適である。ここで、スペーサ１０ｅの長手方向とインレット１１の長手方向とが平行になるようインレット１１がスペーサ１０ｅに設けられる場合、間隔Ｄ４は、インレット１１における長手方向の長さの２倍以上の長さを有することが好適である。
【００５４】
切り離しライン５２に基づいて、無線タグシート１ｇのスペーサ１０ｅが切り離されると、図２１に示すような、１つのインレット１１を有する無線タグ１ｃとなる。したがって、無線タグシート１ｇを切り離しライン５２で適宜切り離すことで、無線タグ１ｃとして使用することができる。このため、無線タグ１ｃを多数用いる場合においても、無線タグ１ｃを多数用意することなく、１つの無線タグシート１ｇのみを用意すればよく、その管理が容易となる。
【００５５】
なお、この実施の形態６では、無線タグシート１ｇは、スペーサ１０ｅの上面全面に粘着材１２ａが設けられているとし、無線タグ１ｃが複数連なる状態で形成されるとして説明した。しかしながら、無線タグシート１ｇは、スペーサ１０ａ、１０ｂ、１０ｅ、１０ｇまたは１０ｈに対し、ライン２ａ〜２ｃ、サイズの異なる粘着材１２ａ、及び粘着材１２ｂ等がそれぞれ設けられ、無線タグ１ａ〜１ｆが複数連なる状態で形成されてもよい。
【００５６】
ここで、実施の形態６に係る無線タグシート１ｇの製造方法を、図２２を用いて説明する。図２２は、実施の形態６の無線タグシート１ｇの製造工程を説明するための模式図である。図２２に示される６ａは、スペーサ１０ｅが巻かれているロールであり、このスペーサ１０ｅは、上面全面に粘着材１２ａが設けられ、その上面に剥離紙５３が貼着されている。６ｂは、当該スペーサ１０ｅを搬送方向９の下流で巻き取るロールである。７ａはロール６ａにおける上述した剥離紙５３を巻き取るロールであり、７ｂは当該剥離紙５３を巻き取られたスペーサ１０ｅに対して貼着する剥離紙５１が巻かれているロールである。７ｃは、ロール７ｂに巻かれている剥離紙５１を引き出すと共に、スペーサ１０ｅの上面に貼着するためのローラである。
【００５７】
８ａはスペーサ１０ｅの上面にインレット１１を設ける搭載用ツールであり、８ｂはスペーサ１０ｅに対し切り離しライン５２を設ける切り離し用ツールである。切り離し用ツール８ｂは、例えば、円形の鋸刃がスペーサ１０ｅ上を転がることにより切り離しライン５２を設ける。８ｃはステージを示し、このステージ８ｃ上でスペーサ１０ｅの上面に対し、インレット１１の設置等が行われる。
【００５８】
先ず、スペーサ１０ｅは、ロール６ｂが回転することにより、ロール６ａから引き出され、搬送される。スペーサ１０ｅはロール６ａから引き出されると同時に、ロール７ａにより、当初から粘着材１２ａの上面に貼着されている剥離紙５３が剥がされる。剥離紙５３が剥がされたスペーサ１０ｅは、搭載用ツール８ａにより、図１９に示される間隔Ｄ４ごとに上面にインレット１１が設けられ、インレット１１は、スペーサ１０ｅの上面の粘着材１２ａにより接着される。インレット１１が接着されたスペーサ１０ｅは、インレット１１及び粘着材１２ａ上に、ロール７ｂから引き出された剥離紙５１がローラ７ｃにより貼着される。剥離紙５１が貼着されたスペーサ１０ｅには、切り離し用ツール８ｂにより、インレット１１間に間隔Ｄ４ごとに切り離しライン５２が設けられる。なお、切り離しライン５２は、インレット１１の近傍に設けることが好適である。切り離しライン５２が設けられたスペーサ１０ｅは、無線タグシート１ｇとなり、ロール６ｂにより巻き取られる。
【００５９】
なお、ここでは、無線タグ１ｃが複数連なる状態で形成される無線タグシート１ｇの製造方法について説明した。ここで、無線タグ１ａ〜１ｆが複数連なる状態で形成される無線タグシートを製造する場合、ロール６ａに代わり、予めライン２ａ〜２ｃ、サイズの異なる粘着材１２ａ、及び粘着材１２ｂ等が設けられているスペーサ１０ａ、１０ｂ、１０ｅ、１０ｇまたは１０ｈが巻かれたロールを用いることができる。この場合、ライン２ａ〜２ｃは、スペーサ１０ａ、１０ｂ、１０ｅ、１０ｇまたは１０ｈに対して剥離紙５１が貼着された後、設けられてもよい。
【００６０】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【００６１】
なお、特許請求の範囲に記載のベース部材は、例えば前述の実施の形態におけるベースシート１１１であり、回路チップは、例えば回路チップ１１３である。アンテナパターンは、例えばアンテナパターン１１２であり、スペーサは、例えばスペーサ１０ａ、１０ｂ、１０ｅ、１０ｇ及び１０ｈである。取付対象物は、例えば取り付ける対象とした物３ａまたは３ｃであり、屈曲部は、例えば折り曲げ部２２である。無線タグは、例えば無線タグ１ａ〜１ｆまたは無線タグシート１ｇである。第１スペーサは、例えば第１スペーサ１０１ａまたは１０２ａであり、第２スペーサは、第２スペーサ１０１ｂまたは１０２ｂである。粘着材は、例えば粘着材１２ａまたは１２ｂであり、板状部材は、例えばスペーサブロック４である。切り離しラインは、例えば切り離しライン５２であり、折り曲げラインは、例えばライン２ａ〜２ｃである。第１剥離紙は、例えば剥離紙５１であり、第２剥離紙は、例えば剥離紙５３である。
【００６２】
以上、実施の形態によれば、以下の付記で示す技術的思想が開示されている。
（付記１）
ベース部材に無線通信を行う回路チップとアンテナパターンを設けたインレットがスペーサ上に設けられた無線タグであって、
前記スペーサは、その長手方向に前記インレットの同方向における長さの２倍以上の長さを有し、且つ前記無線タグの取付対象物への取付面を形成するよう前記スペーサを折り畳み可能とする屈曲部を有することを特徴とする無線タグ。
（付記２）
前記スペーサは、前記インレットを前記スペーサ間に位置するよう折り畳み可能であることを特徴とする付記１に記載の無線タグ。
（付記３）
前記スペーサは、前記インレットが設けられる第１スペーサと、該第１スペーサに前記屈曲部を介して接続され、該接続方向に前記第１スペーサ以上の長さを有する第２スペーサとを有することを特徴とする付記１に記載の無線タグ。
（付記４）
前記スペーサが折り畳まれた際に重なり合う前記スペーサの面の少なくともいずれか一方の面上には、粘着材が設けられていることを特徴とする付記１に記載の無線タグ。
（付記５）
前記スペーサが折り畳まれた際に重なり合う前記スペーサの面の少なくともいずれか一方の面上には、前記スペーサが重ね合わされた際の重ね方向の高さを確保するための板状部材が設けられていることを特徴とする付記１に記載の無線タグ。
（付記６）
前記無線タグは複数連接され、各無線タグは前記スペーサの端部に設けられた切り離しラインで切り離し可能とされていることを特徴とする付記１に記載の無線タグ。
（付記７）
前記屈曲部は、折り曲げ箇所を示す折り曲げラインが設けられており、前記折り曲げラインに沿って折り曲げられることを特徴とする付記１に記載の無線タグ。
（付記８）
ベース部材に無線通信を行う回路チップとアンテナパターンを設けたインレットがスペーサ上に設けられた無線タグであって、
前記スペーサは、その長手方向に前記インレットの同方向における長さの２倍以上の長さを有し、且つ前記無線タグの取付対象物へ多重に巻きつけ可能となるよう可撓性を有することを特徴とする無線タグ。
（付記９）
前記スペーサは、前記インレットを前記スペーサ間に位置するよう前記取り付ける対象とした物に対して多重に巻きつけ可能であることを特徴とする付記８に記載の無線タグ。
（付記１０）
前記スペーサは、前記インレットが設けられる第１スペーサと、該第１スペーサと接続され、該接続方向に前記第１スペーサ以上の長さを有する第２スペーサとを有することを特徴とする付記８に記載の無線タグ。
（付記１１）
前記スペーサの上面または下面の少なくともいずれか一方の面には、粘着材が設けられていることを特徴とする付記８に記載の無線タグ。
（付記１２）
前記無線タグは複数連接され、各無線タグは前記スペーサの端部に設けられた切り離しラインで切り離し可能とされていることを特徴とする付記８に記載の無線タグ。
（付記１３）
上面に粘着材を有するスペーサを搬送し、
ベース部材上に無線通信を行う回路チップとアンテナパターンが設けられたインレットを、前記スペーサを搬送する搬送方向における前記インレットの長さより２倍以上長い間隔で、前記スペーサの上面に対し複数接着し、
前記インレット及び前記スペーサ上に第１剥離紙を貼着し、
前記インレット間の前記スペーサ及び前記第１剥離紙に対し、前記間隔で切り離しラインを設けることを特徴とする無線タグの製造方法。
（付記１４）
前記スペーサの上面の粘着剤は、表面に第２剥離紙を有しており、
前記第２剥離紙を剥がしながら前記スペーサに対し前記インレットを前記間隔で複数接着する付記１３に記載の無線タグの製造方法。
【符号の説明】
【００６３】
１ａ〜１ｆ  無線タグ、１ｇ  無線タグシート、２ａ〜２ｃ  ライン、４  スペーサブロック、１０ａ、１０ｂ、１０ｅ、１０ｇ及び１０ｈ  スペーサ、１１  インレット、１２ａ，１２ｂ  粘着材、２２  折り曲げ部、５１，５３  剥離紙、５２  切り離しライン、１０１ａ及び１０２ａ  第１スペーサ、１０１ｂ及び１０２ｂ  第２スペーサ、１１１  ベースシート、１１２  アンテナパターン、１１３  回路チップ。
【図１】
2012008682.tif 000003
【図２】
2012008682.tif 000004
【図３】
2012008682.tif 000005
【図４】
2012008682.tif 000006
【図５】
2012008682.tif 000007
【図６】
2012008682.tif 000008
【図７】
2012008682.tif 000009
【図８】
2012008682.tif 000010
【図９】
2012008682.tif 000011
【図１０】
2012008682.tif 000012
【図１１】
2012008682.tif 000013
【図１２】
2012008682.tif 000014
【図１３】
2012008682.tif 000015
【図１４】
2012008682.tif 000016
【図１５】
2012008682.tif 000017
【図１６】
2012008682.tif 000018
【図１７】
2012008682.tif 000019
【図１８】
2012008682.tif 000020
【図１９】
2012008682.tif 000021
【図２０】
2012008682.tif 000022
【図２１】
2012008682.tif 000023
【図２２】
2012008682.tif 000024